(57)【要約】  アドバンスト無線通信ネットワークに用いる方法、及びそのシステム(２０)が提供される。これらの方法及びシステム(２０)において、基地局(３０)は、第１の制御メッセージを、無線デバイス(１００)へ第１のチャネル上で提供する。前記第１の制御メッセージは、第２のチャネル上での第２の制御メッセージの有無と、前記第２の制御メッセージのカバレッジ改善設定と、を示す。また、基地局(３０)は、前記カバレッジ改善設定に応じて、前記第２の制御メッセージを、前記無線デバイス(１００)へ前記第２のチャネル上で提供する。前記第２のチャネル上のメッセージを選択的に処理可能とするために、前記第１の制御メッセージは、前記無線デバイス(１００)が前記第２の制御メッセージの有無を判定できるようにする。【選択図】図２
2017503362.tif 000002
【特許請求の範囲】
【請求項１】
無線通信ネットワークに用いる基地局により実施される方法であって、
第１の制御メッセージを、無線デバイスへ第１のチャネル上で提供し、
カバレッジ改善設定（ｃｏｖｅｒａｇｅ ｅｎｈａｎｃｅｍｅｎｔ ｃｏｎｆｉｇｕｒａｔｉｏｎ）に応じて、第２の制御メッセージを、前記無線デバイスへ第２のチャネル上で提供する、ことを含み、
前記第１の制御メッセージは、
前記第２のチャネル上での前記第２の制御メッセージの有無と、
前記第２の制御メッセージの前記カバレッジ改善設定と、を示す、
方法。
【請求項２】
前記第２のチャネル上のメッセージを選択的に処理可能とするために、前記第１の制御メッセージは、前記無線デバイスが第２の制御メッセージの有無を判定できるようにする、
ことを特徴とした請求項１に記載の方法。
【請求項３】
前記カバレッジ改善設定は、反復領域における前記第２の制御メッセージの反復回数を定義する、
ことを特徴とした請求項１に記載の方法。
【請求項４】
前記第１のメッセージは、ＰＤＣＩＣＨ（ｐｈｙｓｉｃａｌ ｄｏｗｎｌｉｎｋ ｃｏｎｔｒｏｌ ｉｎｄｉｃａｔｏｒ ｃｈａｎｎｅｌ）上で提供される、
ことを特徴とした請求項１に記載の方法。
【請求項５】
前記第２のメッセージは、ＰＤＣＣＨ（ｐｈｙｓｉｃａｌ ｄｏｗｎｌｉｎｋ ｃｏｎｔｒｏｌ ｃｈａｎｎｅｌ）上で提供される、
ことを特徴とした請求項１に記載の方法。
【請求項６】
前記無線デバイスは、ＭＴＣ（Ｍａｃｈｉｎｅ−Ｔｙｐｅ Ｃｏｍｍｕｎｉｃａｔｉｏｎ）デバイスである、
ことを特徴とした請求項１に記載の方法。
【請求項７】
前記第１のメッセージは、前記無線デバイスによるブラインド検出のために、制御領域において他の制御メッセージと多重化されて提供される、
ことを特徴とした請求項１に記載の方法。
【請求項８】
前記第１のチャネルは、８ＣＣＥ（ｃｏｎｔｒｏｌ ｃｈａｎｎｅｌ ｅｌｅｍｅｎｔｓ）のアグリゲーションレベルで処理され、他の無線デバイスに対する他のＰＤＣＣＨ（ｐｈｙｓｉｃａｌ ｄｏｗｎｌｉｎｋ ｃｏｎｔｒｏｌ ｃｈａｎｎｅｌｓ）と多重化され、前記無線デバイスのブラインド検出のために制御領域内にマッピングされる、
ことを特徴とした請求項７に記載の方法。
【請求項９】
前記第１の制御メッセージは、前記関連した第２の制御メッセージの２、３又は４の反復レベルを示す２ビットのＣＣＩ（ｃｏｎｔｒｏｌ ｃｈａｎｎｅｌ ｉｎｄｉｃａｔｏｒ）、を含む、
ことを特徴とした請求項１に記載の方法。
【請求項１０】
前記反復レベルは、前記無線デバイスでの異なるレベルのカバレッジ改善に対応する、
ことを特徴とした請求項９に記載の方法。
【請求項１１】
前記２ビットのＣＣＩをエンコードして、７２ビットのコードワード（ｃｏｄｅｗｏｒｄ）を生成する、
ことをさらに含む請求項９に記載の方法。
【請求項１２】
前記７２ビットのコードワードを、７２ビットのデバイス固有マスク（ｄｅｖｉｃｅ ｓｐｅｃｉｆｉｃ ｍａｓｋ）でマスキングし、
前記マスキングした７２ビットのコードワードをレートマッチングして、５７６のＰＤＣＩＣＨビットを生成する、
ことをさらに含む請求項１１に記載の方法。
【請求項１３】
前記７２ビットのデバイス固有マスクは、１６ビットのＲＮＴＩを１／３コンボリュージョナルコーディング（ｃｏｎｖｏｌｕｔｉｏｎａｌ ｃｏｄｉｎｇ）でエンコードすることにより生成する、
ことを特徴とした請求項１２に記載の方法。
【請求項１４】
前記１６ビットのＲＮＴＩは、ＳＩ−ＲＮＴＩ、Ｐ−ＲＮＴＩ、ＲＡ−ＲＮＴＩ、テンポラリＣ−ＲＮＴＩ、Ｃ−ＲＮＴＩ又はＭＴＣ−ＲＮＴＩの一つである、
ことを特徴とした請求項１３に記載の方法。
【請求項１５】
前記２ビットのＣＣＩは、下記のコーディングテーブルを用いてエンコードされる、
2017503362.tif 000021
ことを特徴とした請求項９に記載の方法。
【請求項１６】
前記第１のメッセージを、複数の区別可能な制御領域において前記無線デバイスへ反復して提供する、
ことをさらに含む請求項１に記載の方法。
【請求項１７】
前記第１のメッセージの反復回数は、少なくとも部分的に予め定義される、
ことを特徴とした請求項１６に記載の方法。
【請求項１８】
複数の区別可能な制御領域は、前記第２の制御メッセージを有する無線フレームに直接先行するサブフレーム内での、連続的なサブフレームの制御領域である、
ことを特徴とした請求項１６に記載の方法。
【請求項１９】
前記第１のメッセージの反復回数は、制御サーチ空間（ｃｏｎｔｒｏｌ ｓｅａｒｃｈ ｓｐａｃｅ）に応じて定義される、
ことを特徴とした請求項１６に記載の方法。
【請求項２０】
前記第１のメッセージの反復回数は、ＣＳＳ（ｃｏｍｍｏｎ ｓｅａｒｃｈ ｓｐａｃｅ）におけるＭＴＣ−ＰＤＣＩＣＨに対して５回である、
ことを特徴とした請求項１９に記載の方法。
【請求項２１】
無線通信ネットワークに用いる無線デバイスにより実施される方法であって、
第１の制御メッセージを、基地局から第１のチャネル上で受信し、
カバレッジ改善設定に応じて、第２の制御メッセージを、前記無線デバイスから第２のチャネル上で受信する、ことを含み、
前記第１の制御メッセージは、
前記第２のチャネル上での前記第２の制御メッセージの有無と、
前記第２の制御メッセージの前記カバレッジ改善設定と、を示す、
方法。
【請求項２２】
無線通信ネットワークにより実施される方法であって、
第１の制御メッセージを、基地局から無線デバイスへ第１のチャネル上で提供し、
カバレッジ改善設定に応じて、第２の制御メッセージを、前記基地局から前記無線デバイスへ第２のチャネル上で提供する、ことを含み、
前記第１の制御メッセージは、
前記第２のチャネル上での前記第２の制御メッセージの有無と、
前記第２の制御メッセージの前記カバレッジ改善設定と、を示す、
方法。
【請求項２３】
無線通信ネットワークに用いる基地局であって、
第１の制御メッセージを、無線デバイスへ第１のチャネル上で送信する第１の送信機と、
カバレッジ改善設定に応じて、第２の制御メッセージを、前記無線デバイスへ第２のチャネル上で送信する第２の送信機と、を備え、
前記第１の制御メッセージは、
前記第２のチャネル上での前記第２の制御メッセージの有無と、
前記第２の制御メッセージの前記カバレッジ改善設定と、を示す、
基地局。
【請求項２４】
無線通信ネットワークに用いる無線デバイスであって、
第１の制御メッセージを、基地局から第１のチャネル上で受信する第１の受信機と、
カバレッジ改善設定に応じて、第２の制御メッセージを、前記基地局から第２のチャネル上で受信する第２の受信機と、を備え、
前記第１の制御メッセージは、
前記第２のチャネル上での前記第２の制御メッセージの有無と、
前記第２の制御メッセージの前記カバレッジ改善設定と、を示す、
無線デバイス。
【請求項２５】
無線デバイスと、
第１の制御メッセージを、前記無線デバイスへ第１のチャネル上で提供し、カバレッジ改善設定に応じて、第２の制御メッセージを、前記無線デバイスへ第２のチャネル上で提供する基地局と、を備え、
前記第１の制御メッセージは、
前記第２のチャネル上での前記第２の制御メッセージの有無と、
前記第２の制御メッセージの前記カバレッジ改善設定と、を示す、
無線通信ネットワーク。
【発明の詳細な説明】
【技術分野】
【０００１】
本発明は、アドバンスト(ａｄｖａｎｃｅｄ)無線通信ネットワークにおける制御シグナリングに関する。特に、これに限定されるものでは無いが、本発明は、アドバンスト無線通信ネットワークにおいてＭＴＣ(Ｍａｃｈｉｎｅ Ｔｙｐｅ Ｃｏｍｍｕｎｉｃａｔｉｏｎ)デバイスのためにセルカバレッジを改善することに関する。
【０００２】
＜略語＞
本明細書では、以下の略語を用いる。
2017503362.tif 000003
【背景技術】
【０００３】
無線音声及びデータ通信システムは、大略、利用可能なシステムリソース(例えば、帯域幅及び送信電力)を共有することによって、複数のデバイスとの通信をサポート可能な複数のアクセスシステムを備える。デバイス間で利用可能なシステムリソースを共有するＲＡＴ(Ｒａｄｉｏ Ａｃｃｅｓｓ Ｔｅｃｈｎｏｌｏｇｉｅｓ)の例としては、ＣＤＭＡ(ｃｏｄｅ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＧＳＭ／ＧＰＲＳシステム、３ＧＰＰ ＬＴＥ(Ｌｏｎｇ Ｔｅｒｍ Ｅｖｏｌｕｔｉｏｎ)システム、及びＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システムが挙げられる。
【０００４】
現状、これらＲＡＴの多くが共存しており、以て複数のＲＡＴ各々のための継続的なサポートを必要としている。ＬＴＥベースの技術といった最新且つフレキシブルな技術は、広範囲の旧来用途をサポートすることが可能である。通常、ネットワーク内でサポートされるＲＡＴの数を最小化することによってネットワークメンテナンス全体のコストを低減することが望ましい一方で、ネットワークオペレータは、旧来ＲＡＴを実装し続けて広範囲のデバイスに対し十分にサービスを提供しなければならない。
【０００５】
継続的な発展を感じるマーケットは、ＥＴＳＩ(Ｅｕｒｏｐｅａｎ Ｔｅｌｅｃｏｍｍｕｎｉｃａｔｉｏｎｓ Ｓｔａｎｄａｒｄｓ Ｉｎｓｔｉｔｕｔｅ)ではＭ２Ｍ(Ｍａｃｈｉｎｅ−ｔｏ−Ｍａｃｈｉｎｅ)と呼称され、３ＧＰＰではＭＴＣ(Ｍａｃｈｉｎｅ−Ｔｙｐｅ Ｃｏｍｍｕｎｉｃａｔｉｏｎｓ)と呼称されるマシン間通信のマーケットである。ＭＴＣは、機械的且つ電子的なデバイス同士間での自動通信を包含するものであり、ネットワークマシンが、人手による補助無く情報を交換し且つアクションを実行することを可能にする。
【０００６】
現状、従来のＭＴＣデバイスの多くは、ＧＳＭ／ＧＰＲＳネットワークが適切に扱うことが可能なローエンド(ユーザ毎の収益、低データレート)なアプリケーションをターゲットとしている。これらＭＴＣデバイスの低コスト性及びＧＳＭ／ＧＰＲＳの良好なカバレッジのおかげで、ＭＴＣデバイス供給者にとっては、完全なＬＴＥ無線インタフェースをサポートするモジュールを使用する動機付けが非常に小さくなっている。このため、この種のＭＴＣデバイスが無線通信ネットワークにおいて多く展開される程に、既存ＧＳＭ／ＧＰＲＳネットワークへの依存が増加している。
【０００７】
よって、このようなＧＳＭ／ＧＰＲＳネットワークへの依存増加は、ネットワークオペレータに、複数のＲＡＴをメンテナンスするという観点からだけで無く、オペレータがＧＳＭ／ＧＰＲＳの次善のスペクトラム効率を前提としたスペクトラムを効率良く活用することをも阻んでしまうという犠牲を払わせるであろう。
【０００８】
従って、ＭＴＣ用の改善された方法及びシステムの必要性がある。
【０００９】
明らかに当然のことながら、本明細書で従来技術の刊行物を参照する場合、この参照は、当該刊行物がオーストラリア国又は他の国における周知常識の一部を形成することの認定を構成するものでは無い。
【発明の概要】
【００１０】
本発明は、アドバンスト無線通信ネットワークにおける制御シグナリングを対象とするものであり、上述したデメリットの少なくとも一つを少なくとも部分的に解消するか、或いは消費者へ有益又は営利な選択を提供し得る。
【００１１】
前述の事項を考慮し、本発明は、一の態様において、アドバンスト無線ネットワークに用いる方法に広範に属する。この方法は、第１の制御メッセージを、無線デバイスへ第１のチャネル上で提供することを含む。前記第１の制御メッセージは、第２のチャネル上での第２の制御メッセージの有無と、前記第２の制御メッセージのカバレッジ改善設定(ｃｏｖｅｒａｇｅ ｅｎｈａｎｃｅｍｅｎｔ ｃｏｎｆｉｇｕｒａｔｉｏｎ)と、を示す。前記方法は、前記カバレッジ改善設定に応じて、前記第２の制御メッセージを、前記無線デバイスへ前記第２のチャネル上で提供することも含む。
【００１２】
幾つかの実施形態によれば、前記第２のチャネル上のメッセージを選択的に処理可能とするために、前記第１の制御メッセージは、前記無線デバイスが第２の制御メッセージの有無を判定できるようにする。
【００１３】
幾つかの実施形態によれば、前記カバレッジ改善設定は、反復領域における前記第２の制御メッセージの反復回数を定義する。
【００１４】
幾つかの実施形態によれば、前記第１のメッセージは、ＰＤＣＩＣＨ（ｐｈｙｓｉｃａｌ ｄｏｗｎｌｉｎｋ ｃｏｎｔｒｏｌ ｉｎｄｉｃａｔｏｒ ｃｈａｎｎｅｌ）上で提供される。前記第２のメッセージは、ＰＤＣＣＨ（ｐｈｙｓｉｃａｌ ｄｏｗｎｌｉｎｋ ｃｏｎｔｒｏｌ ｃｈａｎｎｅｌ）上で提供され得る。
【００１５】
或る実施形態によれば、前記無線デバイスは、ＭＴＣ（Ｍａｃｈｉｎｅ−Ｔｙｐｅ Ｃｏｍｍｕｎｉｃａｔｉｏｎ）デバイスである。
【００１６】
或る実施形態によれば、前記第１のメッセージは、前記無線デバイスによるブラインド検出のために、制御領域において他の制御メッセージと多重化されて提供される。特に、前記第１のチャネルは、８ＣＣＥ（ｃｏｎｔｒｏｌ ｃｈａｎｎｅｌ ｅｌｅｍｅｎｔｓ）のアグリゲーションレベルで処理され、他の無線デバイスに対する他のＰＤＣＣＨ（ｐｈｙｓｉｃａｌ ｄｏｗｎｌｉｎｋ ｃｏｎｔｒｏｌ ｃｈａｎｎｅｌｓ）と多重化され、前記無線デバイスのブラインド検出のために制御領域内にマッピングされ得る。
【００１７】
或る実施形態によれば、前記第１の制御メッセージは、前記関連した第２の制御メッセージの２、３又は４の反復レベルを示す２ビットのＣＣＩ（ｃｏｎｔｒｏｌ ｃｈａｎｎｅｌ ｉｎｄｉｃａｔｏｒ）を含む。前記反復レベルは、前記無線デバイスでの異なるレベルのカバレッジ改善に対応し得る。
【００１８】
或る実施形態によれば、前記方法は、前記２ビットのＣＣＩをエンコードして、７２ビットのコードワード（ｃｏｄｅｗｏｒｄ）を生成することをさらに含む。前記方法は、前記７２ビットのコードワードを、７２ビットのデバイス固有マスク（ｄｅｖｉｃｅ ｓｐｅｃｉｆｉｃ ｍａｓｋ）でマスキングし、前記マスキングした７２ビットのコードワードをレートマッチングして、５７６のＰＤＣＩＣＨビットを生成する、ことをさらに含み得る。例えば、前記７２ビットのデバイス固有マスクは、１６ビットのＲＮＴＩを１／３コンボリュージョナルコーディング（ｃｏｎｖｏｌｕｔｉｏｎａｌ ｃｏｄｉｎｇ）でエンコードすることにより生成する。前記１６ビットのＲＮＴＩは、ＳＩ−ＲＮＴＩ、Ｐ−ＲＮＴＩ、ＲＡ−ＲＮＴＩ、Ｃ−ＲＮＴＩ又はＭＴＣ−ＲＮＴＩの一つであり得る。
【００１９】
或る実施形態によれば、前記２ビットのＣＣＩは、下記のコーディングテーブルを用いてエンコードされる。
2017503362.tif 000004
【００２０】
或る実施形態によれば、前記方法は、前記第１のメッセージを、複数の区別可能な制御領域において前記無線デバイスへ反復して提供することをさらに含む。前記第１のメッセージの反復回数は、少なくとも部分的に予め定義され得る。複数の区別可能な制御領域は、前記第２の制御メッセージを有する無線フレームに直接先行するサブフレーム内での、連続的なサブフレームの制御領域であり得る。前記第１のメッセージの反復回数は、制御サーチ空間（ｃｏｎｔｒｏｌ ｓｅａｒｃｈ ｓｐａｃｅ）に応じて定義され得る。前記第１のメッセージの反復回数は、ＣＳＳ（ｃｏｍｍｏｎ ｓｅａｒｃｈ ｓｐａｃｅ）におけるＭＴＣ−ＰＤＣＩＣＨに対して５回であり得る。
【００２１】
他の態様において、本発明は、アドバンスト無線通信用の基地局に広範に属する。この基地局は、送信機と、前記送信機にカップリングされるプロセッサと、前記プロセッサにカップリングされるメモリと、を含む。前記メモリは、前記プロセッサにより実行可能な指示コードであって、前記送信機により無線デバイスへ、第１の制御メッセージを第１のチャネル上で送信し、前記第１の制御メッセージが、第２のチャネル上での第２の制御メッセージの有無と、前記第２の制御メッセージのカバレッジ改善設定とを示し、前記送信機により前記無線デバイスへ、前記カバレッジ改善設定に応じて、前記第２の制御メッセージを前記第２のチャネル上で送信するための指示コードを含む。
【００２２】
更に他の態様において、本発明は、アドバンスト無線通信用のシステムに広範に属する。このシステムは、無線デバイスと、基地局とを含む。前記基地局は、送信機と、前記送信機にカップリングされるプロセッサと、前記プロセッサにカップリングされるメモリと、を含む。前記メモリは、前記プロセッサにより実行可能な指示コードであって、前記送信機により無線デバイスへ、第１の制御メッセージを第１のチャネル上で送信し、前記第１の制御メッセージが、第２のチャネル上での第２の制御メッセージの有無と、前記第２の制御メッセージのカバレッジ改善設定とを示し、前記送信機により前記無線デバイスへ、前記カバレッジ改善設定に応じて、前記第２の制御メッセージを前記第２のチャネル上で送信するための指示コードを含む。前記第２のチャネル上のメッセージを選択的に処理可能とするために、前記第１の制御メッセージは、前記無線デバイスが第２の制御メッセージの有無を判定できるようにする。
【００２３】
本発明の或る実施形態は、カバレッジ改善を要求する低コストＭＴＣデバイスのために、大略、第１の制御メッセージと呼称される、ＭＴＣ−ＣＣＩ形式の新たなＣＣＩ(ｃｏｎｔｒｏｌ ｃｈａｎｎｅｌ ｉｎｄｉｃａｔｏｒ)を定義する。前記ＭＴＣ−ＣＣＩは、意図するＭＴＣ−ＣＣＩの検出のため、エンコードされたＲＮＴＩ(Ｒａｄｉｏ Ｎｅｔｗｏｒｋ Ｔｅｍｐｏｒａｒｙ Ｉｄｅｎｔｉｔｙ)と共にエンコード且つマスキングされ得て、第２の制御メッセージがＭＴＣ−ＰＤＣＣＨ上で送信され、且つＭＴＣ−ＰＤＣＣＨ送信の反復回数の指示(ｉｎｄｉｃａｔｉｏｎ)を提供することを示す。
【００２４】
或る実施形態によれば、ＭＴＣ−ＣＣＩのためのコーディング方法は、検出成功の最適な(又は最適に近い)レート(すなわち、誤検出の低確率性)を提供し、及び検出失敗の低確率性をＭＴＣ−ＣＣＩ送信のための少ない反復回数(例えば、５回)で提供するように定義される。これは、同様に、リソースを節約し且つ電力消費を低減することを可能にする。
【００２５】
基地局がＣＣＩを含む第１の制御メッセージをＭＴＣデバイスへ送信し、且つ反復の最大数がターゲットのカバレッジ改善を達成するために必要であるワーストケースなシナリオによれば、本発明の或る実施形態は、ＭＴＣ−ＰＤＣＩＣＨ上で送信される第１の制御メッセージの形式で、６．５８％以下の制御シグナリングオーバヘッドを導入する。しかしながら以下で議論する通り、このような実施形態は、性能の点で幾つかのメリットを達成する。
【００２６】
特に、第１の制御メッセージを成功裏に検出した場合、ＭＴＣデバイスは、データを記憶し、要求されたカバレッジ改善に必要となるＭＴＣ−ＰＤＣＣＨ送信の知らされた反復回数に対応するＭＴＣ−ＰＤＣＣＨを効率的且つ正確に処理することが可能である。このことは、基地局がオプション的に、異なるレベルのカバレッジ改善を要求するＭＴＣデバイスに対して異なる反復レベルを設定し、同様に基地局でのより良好なリソース／スペクトラム活用をもたらし、並びにＭＴＣデバイスでの信号処理電力保全を可能にする。
【００２７】
さらに、ＭＴＣデバイスは、第１の制御メッセージを何ら検出しない場合、自デバイスに対し送信されるＭＴＣ−ＰＤＣＣＨが存在しない、或いは自デバイス対し送信されるＭＴＣ−ＰＤＣＣＨは存在するが劣悪なチャネル／環境条件に因りデコード不可能であることを知見する。このようなケースのいずれにおいても、ＭＴＣ−ＰＤＣＣＨを監視してデコードする必要は無く、電力消費の著しい削減自体は達成可能である。
【００２８】
従って、第１の制御メッセージが小さなオーバヘッドを有する一方で、ＭＴＣ−ＰＤＣＣＨ処理の著しい削減を達成可能である。
【００２９】
本発明の或る実施形態は、動的な制御シグナリングを送信する有効且つ確実な方法を提供する。特に、或る実施形態は、無線デバイスが、特定の無線デバイスに関する制御チャネルをデコードする必要があるため、電力消費を著しく低減することを可能にする。本発明は、改善されたカバレッジを要求する低コストＭＴＣデバイスと共に用いることが可能である。
【００３０】
本明細書で説明する任意の特徴は、発明の範囲内で説明する任意の１以上の他の特徴と任意の組合せで組み合わせることが可能である。
【００３１】
本明細書中での従来技術の参照は、当該従来技術が公知常識の一部を形成することの承認又は如何なる示唆として扱われるものでも、扱われるべきものでも無い。
【図面の簡単な説明】
【００３２】
発明の好ましい特徴、実施形態及びバリエーションは、当業者が発明を実施するために十分な情報を提供する下記の実施形態の説明とは区別され得る。実施形態の説明は、前述した発明の概要の範囲を何らか限定するものとして見做されるべきでは無い。実施形態の説明は、次の通り幾つかの図面について言及する。
【００３３】
【図１】本発明の実施形態に係る例示的な通信ネットワークを示した概略図である。
【００３４】
【図２】本発明の実施形態に係る、ＬＴＥベースのＭＴＣデバイス及びＬＴＥ基地局を含む通信システムの簡略化されたブロック図を示している。
【００３５】
【図３】本発明の実施形態に係る、ＭＴＣ−ＣＣＩ処理モジュールのブロック図を示している。
【００３６】
【図４】本発明の実施形態に係る、ＭＴＣ−ＰＤＣＩＣＨ処理モジュールのブロック図を示している。
【００３７】
【図５】本発明の実施形態に係る、ＣＣＥアグリゲーション及びＭＴＣ−ＰＤＣＩＣＨ／ＰＤＣＣＨ多重化の例を示している。
【００３８】
【図６】本発明の実施形態に係る、ＭＴＣ−ＰＤＣＩＣＨ反復の例を示している。
【００３９】
【図７】本発明の実施形態に係る、ＭＴＣ−ＰＤＣＩＣＨ及びＭＴＣ−ＰＤＣＣＨタイミングの例を示している。
【００４０】
【図８】本発明の実施形態に係る、ＭＴＣ−ＰＤＣＩＣＨ処理モジュールの例を示している。
【００４１】
【図９】本発明の実施形態に係る、例えばＵＳＳ／ＣＳＳアキュムレーション(ａｃｃｕｍｕｌａｔｉｏｎ)モジュールにより実行されるアキュムレーション(ａｃｃｕｍｕｌａｔｉｏｎ)方法を示している。
【００４２】
【図１０】本発明の実施形態に係る、ＭＴＣ−ＣＣＩ検出モジュールを示している。
【００４３】
【図１１】本発明の実施形態に係る、制御メッセージ反復の４つのレベルを示している。
【００４４】
【図１２】本発明の実施形態に係るシミュレーション結果を示している。
【発明を実施するための形態】
【００４５】
図１は、本発明の実施形態に係る、例示的な通信ネットワーク１０を示した概略図である。
【００４６】
通信システム１０は、複数のＭＴＣデバイス１００と複数の旧来ＬＴＥ ＵＥ ２００とを含む移動体通信ネットワークを備えている。ＭＴＣデバイス１００は、３ＧＰＰ規格に従って定義可能であり、必ずしもヒューマン・インタラクションを必要としない１以上のエンティテイを含むデータ通信に携わるデバイスである。そのようなものとして、ＭＴＣデバイス１００は、大略、特定タイプの無線通信ネットワークトラヒックを生成する。これに対し、複数の旧来ＬＴＥ ＵＥ ２００には、人間のユーザによる音声及びデータ通信のための、モバイルフォン、スマートフォン、ラップトップコンピュータ等の無線デバイスが含まれ得る。
【００４７】
ネットワーク１０は、外部ＩＰネットワーク８００へ接続するＬＴＥコアネットワーク５００を含む、外部ＩＰネットワーク８００は、ＬＴＥコアネットワーク５００と、１以上の外部ＭＴＣサーバ６００との間の接続性を提供する。さらに、外部ＩＰネットワーク８００は、ＬＴＥコアネットワーク５００に内在する内部ＭＴＣサーバ５５０と、１以上のＭＴＣアプリケーションサーバ７００との間の接続性を提供する。但し当業者は、ネットワーク１０が、内部ＭＴＣサーバ５５０及び外部ＭＴＣサーバ６００の両者を必要とせず、代わりに内部ＭＴＣサーバ５５０及び外部ＭＴＣサーバ６００の一方で機能可能であることを容易に理解するであろう。
【００４８】
内部ＭＴＣサーバ５５０又は外部ＭＴＣサーバ６００といったＭＴＣサーバは、ＭＴＣ通信サービスをＭＴＣデバイス１１０へ提供する。さらに、ＭＴＣアプリケーションサーバ７００は、アプリケーションサービスをＭＴＣデバイス１００へ提供することを担う。
【００４９】
ネットワーク１０は、更に、複数のｅＮＢ(ｅｎｈａｎｃｅｄ Ｎｏｄｅ Ｂ)基地局３００(その一つが図示されている)を備える。ｅＮＢ基地局３００は、ＬＴＥコアネットワーク５００と相互接続して、ＬＴＥ ＵＥ ２００及びＭＴＣデバイス１００に対し無線接続性及びアクセスを提供する。
【００５０】
デフォルトでＲＦチェーンを二重受信しているＲｅｌ’８ ＬＴＥ ＵＥ ＣＡＴ♯１等の旧来ＬＴＥ ＵＥ ２００は、図１に示す如く広範なセルカバレッジ２５０を有している。
【００５１】
ＭＴＣデバイス１００は、ＢＷ低減、ピークレート低減及び単一の受信ＲＦチェーン、並びにカバレッジ改善のための反復方法を含む低コストＬＴＥデバイスであり得て、有利にも削減されたＢＯＭコストをもたらす。さらに、ＭＴＣデバイス１００は、建物の地下等の非常に低いＳＮＲの領域に配置され得る。単一の受信ＲＦチェーンのみを有する結果、反復無しで、ＭＴＣデバイス１００は、図１に示す如く削減されたセルカバレッジ１５０を有している。
【００５２】
本発明の実施形態は、以下でより詳細に説明する如く低コストＭＴＣデバイス１００が、補償セルカバレッジ１５１等の動的に制御されたセルカバレッジを取得可能にしつつ処理電力を節約するように、ｅＮＢ基地局３００のエアインタフェース４００を介したダウンリンク制御シグナリングのための方法を提供する。
【００５３】
図２は、本発明の実施形態に係る、ＬＴＥベースのＭＴＣデバイス１００と、ＬＴＥデバイス２００と、ＬＴＥ基地局３００とを含む通信システム２０の簡略化されたブロック図を示している。
【００５４】
ＬＴＥ基地局３００は、ベースバンド信号処理用のベースバンド処理部３５０と、デジタル／アナログ変換器３２０と、送信機及び受信機を有するＲＦ(ｒａｄｉｏ ｆｒｅｑｕｅｎｃｙ)部３１０と、無線周波数信号をＬＴＥ ＵＥ ２００及びＭＴＣデバイス１００と送受信するためのアンテナ３０５と、所望のカバレッジ改善を達成するための反復を含むＤＣＩ及びＭＴＣ ＰＤＣＣＨ(ｐｈｙｓｉｃａｌ ｄｏｗｎｌｉｎｋ ｃｏｎｔｒｏｌ ｃｈａｎｎｅｌ)処理用のＭＴＣ−ＰＤＣＣＨ処理部３５２と、ＭＴＣ−ＣＣＩ処理部３６０と、関連ＭＴＣ−ＰＤＣＩＣＨ処理部３７０と、を備える。ＬＴＥ基地局３００の各種モジュールは、機能的なモジュールであり、ソフトウェア、ファームウェア、ハードウェア又はそれらの任意の組合せによって実装されても良い。
【００５５】
ＬＴＥベースのＭＴＣデバイス１００は、アプリケーションプロセッサ１５０と、ベースバンド信号処理用のベースバンドプロセッサ１３０と、デジタル／アナログ変換器１２０と、送信機及び受信機を有するＲＦ(ｒａｄｉｏ ｆｒｅｑｕｅｎｃｙ)部１１０と、無線周波数信号をＬＴＥ基地局３００と送受信するためのアンテナ１０５と、反復を伴うＰＤＣＣＨ(ｐｈｙｓｉｃａｌ ｄｏｗｎｌｉｎｋ ｃｏｎｔｒｏｌ ｃｈａｎｎｅｌ)のブラインドデコード用のＭＴＣ−ＰＤＣＣＨ処理部１５２と、ＭＴＣ−ＣＣＩ処理部１７０と、関連ＭＴＣ−ＰＤＣＩＣＨ処理部１６０と、を備える。ＬＴＥベースのＭＴＣデバイス１００の各種モジュールは、機能的なモジュールであり、ソフトウェア、ファームウェア、ハードウェア又はそれらの任意の組合せによって実装されても良い。機能的なモジュールは、ベースバンドプロセッサ１３０により実行されると相互作用して、(予め定義されるか、或いはＲＲＣシグナリングによって設定される)特定の反復領域においてＭＴＣデバイス１００が、自デバイス１００に割り当てられた制御チャネルの存在及び関連した反復回数を示す制御情報を検出することを可能にする。
【００５６】
或る実施形態によれば、本発明は、ＭＴＣ制御シグナリング、所謂ＭＣＴ−ＣＣＩの送信及び反復、並びに関連したＭＴＣ−ＣＣＩ処理のための方法に属する。
【００５７】
ＭＴＣ−ＣＣＩは、反復のレベルを示す２ビットの情報と、１６ビットのＲＮＴＩとを含む。特に、ＭＴＣ−ＣＣＩは、｛０，１，２，３｝の値を呈する２ビットの情報を含んで、ＭＴＣ ＰＤＣＣＨ送信のために４つ迄の異なる反復のレベルを示し、４つ迄の異なるカバレッジ改善の量子化レベルを達成する。カバレッジ改善のレベルは、例えば、３．４ｄＢ、６．８ｄＢ、１０．２ｄＢ及び１３．６ｄＢに対応し得る。当業者は、カバレッジ改善レベルの達成に必要となる正確な反復回数が、システムの各種パラメータに応じて変動することを容易に理解するであろう。１６ビットのＲＮＴＩは、ＭＴＣ−ＣＣＩ検出においてＭＴＣデバイスをアシストするためのものである。ＭＴＣデバイスのステータス及びモードに応じて、ＲＮＴＩを、例えばＳＩ−ＲＮＴＩ、Ｐ−ＲＮＴＩ、ＲＡ−ＲＮＴＩ、テンポラリＣ−ＲＮＴＩ又はＣ−ＲＮＴＩとしても良い。特に、ＳＩＢ(ｓｙｓｔｅｍ ｉｎｆｏｒｍａｔｉｏｎ ｂｌｏｃｋ)の送信／受信のために、ＳＩ−ＲＮＴＩを用いることが可能であり、ページング情報の送信／受信のために、Ｐ−ＲＮＴＩを用いることが可能である。
【００５８】
ＭＴＣ−ＣＣＩは、基地局によってＭＴＣデバイスへ、新たに提案する物理チャネル、所謂ＭＴＣ−ＰＨＣＩＣＨ(ＭＴＣ ｐｈｙｓｉｃａｌ ｄｏｗｎｌｉｎｋ ｃｏｎｔｒｏｌ ｉｎｄｉｃａｔｏｒ ｃｈａｎｎｅｌ)上で送信される。
【００５９】
図３は、本発明の実施形態に係る、ＭＴＣ−ＣＣＩ処理モジュール３６０のブロック図を示している。ＭＴＣ−ＣＣＩ処理モジュール３６０は、ＭＴＣをサポートする基地局の一部を形成し、２ビットのＭＴＣ−ＣＣＩ及び１６ビットのＲＮＴＩをインプットとして、ＭＴＣ−ＰＤＣＩＣＨを生成することが可能である。
【００６０】
処理モジュール３６０は、ＭＴＣ−ＣＣＩエンコードモジュール３６１と、デバイス固有マスク生成モジュール３６３と、デバイス固有マスキングモジュール３６５と、レートマッチングモジュール３６７と、を含む。
【００６１】
ＭＴＣ−ＣＣＩエンコードモジュール３６１は、２ビットのＭＴＣ−ＣＣＩをインプットとして、７２ビットのＭＴＣ−ＣＣＩコードワード３６２を生成する。ＭＴＣ−ＣＣＩは、下記の表１に従ってコード化される。
【００６２】
表１：ＭＴＣ−ＣＣＩコードワード
【表１】
2017503362.tif 000005
【００６３】
デバイス固有マスク生成モジュール３６３は、１６ビットのＲＮＴＩをインプットとし、１６ビットのＲＮＴＩを、その終端に追加される８つのゼロテイル(ｚｅｒｏ ｔａｉｌ)ビットを伴うレート１／３コンボリュージョナルコーディングを用いてエンコードすることにより、７２ビットのデバイス固有マスク３６４を生成する。利用可能なレート１／３コンボリュージョナルコーダの例が、３ＧＰＰ ＴＳ ２５．２１２ ｖ７．１．０の章４．２．３．１に規定されている。
【００６４】
2017503362.tif 000006
【００６５】
2017503362.tif 000007
【００６６】
図４は、本発明の実施形態に係る、ＭＴＣ−ＰＤＣＩＣＨ処理モジュール３７０のブロック図を示している。ＭＴＣ−ＰＤＣＩＣＨ処理モジュール３７０は、例えば、ＭＴＣをサポートする基地局の一部を形成可能である。ＭＴＣ−ＰＤＣＩＣＨ処理モジュール３７０は、ＭＴＣ−ＰＤＣＩＣＨ及びサブフレームにおいて送信される他の旧来ＰＤＣＣＨをインプットとして、サブフレーム制御領域へマッピングするためのコード合成(ｃｏｍｐｏｓｉｔｅ)の物理制御チャネルを生成する。ＭＴＣ−ＰＤＣＩＣＨ処理モジュール３７０は、ＣＣＥアグリゲーション＆ＭＴＣ−ＰＤＣＩＣＨ／ＰＤＣＣＨ多重化モジュール３７２と、スクランブリングモジュール３７３と、ＱＰＳＫ変調部３７４と、レイヤマッピング＆プリコーディングモジュール３７５と、ＲＥＧ(Ｒｅｓｏｕｒｃｅ Ｅｌｅｍｅｎｔ Ｇｒｏｕｐ)レベルインタリービングモジュール３７６と、ＲＥＧレベルセル固有循環シフトモジュール３７７と、ＲＥ(Ｒｅｓｏｕｒｃｅ Ｅｌｅｍｅｎｔ)マッピング(３７８)と、を含む。
【００６７】
ＣＣＥアグリゲーション＆ＭＴＣ−ＰＤＣＩＣＨ／ＰＤＣＣＨ多重化モジュール３７２は、ＣＣＥアグリゲーションと、ＭＴＣ−ＰＤＣＩＣＨ ３６８及びＰＤＣＣＨ ３７１の多重化とを行う。或る実施形態によれば、３ＧＰＰ ＴＳ ３６．２１１ ｖ１１．３．０の章６．８．２で規定される処理が用いられる。そのような場合、ＭＴＣ−ＰＤＣＩＣＨは、反復送信期間(例えば、５サブフレーム)に亘り同一のＭＴＣ−ＰＤＣＩＣＨが送信され且つそのデバイス固有サーチ空間又はＣＳＳ(ｃｏｍｍｏｎ ｓｅａｒｃｈ ｓｐａｃｅ)における位置インデックスが不変である点を除いて、ＰＤＣＣＨとして扱われる。このことは、処理を簡素化し、且つＭＴＣデバイスの電力消費を低減可能とする。
【００６８】
図５は、本発明の実施形態に係る、ＣＣＥアグリゲーション及びＭＴＣ−ＰＤＣＩＣＨ／ＰＤＣＣＨ多重化の例を示している。図５に示すように、この例におけるデバイス固有空間中のＭＴＣ−ＰＤＣＩＣＨの位置は、反復期間に亘り、サブフレームｋ１及びｋ２において同一である。
【００６９】
他の処理モジュール、すなわちスクランブリングモジュール３７３、ＱＰＳＫ変調モジュール３７４、レイヤマッピング＆プリコーディングモジュール３７５、ＲＥＧレベルインタリービングモジュール３７６、ＲＥＧレベルセル固有循環シフトモジュール３７７及びＲＥマッピングモジュール３７８の処理は、３ＧＰＰ ＴＳ ３６．２１１ ｖ１１．３．０の章６．８．２、６．８．３、６．８．４及び６．８．５に規定されている。
【００７０】
ＭＴＣ−ＰＤＣＩＣＨは、Ｎ個のサブフレームにおいてＮ回反復して送信され、以てＭＴＣ−ＰＤＣＩＣＨのビット毎のエネルギーがＭＴＣデバイスにてアキュムレートされて、要求されるカバレッジ改善を満たすことが可能である。Ｎは、１０未満であり、大略５(すなわち、Ｎ＝５)であり得る。図６は、本発明の実施形態に係る、ＭＴＣ−ＰＤＣＩＣＨ反復の例を示している。各ＭＴＣ−ＰＤＣＩＣＨの反復は、設定又は予め定義された各無線フレーム３１におけるサブフレーム＃０で開始し、反復３２により示す如く、各ＭＴＣ−ＰＤＣＩＣＨは５回送信される。
【００７１】
図７は、本発明の実施形態に係る、ＭＴＣ−ＰＤＣＩＣＨ及びＭＴＣ−ＰＤＣＣＨタイミングの例を示している。この例は、ＭＴＣ−ＰＤＣＩＣＨ ４１と、関連したＭＴＣ−ＰＤＣＣＨ ４２とを含んでいる。ＭＴＣ−ＰＤＣＣＨ ４２の送信は、関連するＭＴＣ−ＰＤＣＩＣＨ ４１が送信された無線フレームに直接続く無線フレームの最初のサブフレーム４３で開始する。
【００７２】
図８は、本発明の実施形態に係る、ＭＴＣ−ＰＤＣＩＣＨ処理モジュール１６０を示している。ＭＴＣ−ＰＤＣＩＣＨ処理モジュール１６０は、例えば、ＭＴＣデバイスの一部を形成可能である。ＭＴＣ−ＰＤＣＩＣＨ処理モジュール１６０は、サブフレームの制御領域において受信したＰＤＣＣＨ／ＭＴＣ−ＰＤＣＩＣＨシンボルをインプットとして、以下で議論する如く、更なるＭＴＣ−ＣＣＩ処理のためにアキュムレートされたＵＳＳ(ＵＥ(ｄｅｖｉｃｅ) ｓｐｅｃｉｆｉｃ ｓｅａｒｃｈ ｓｐａｃｅ)／ＣＳＳ(ｃｏｍｍｏｎ ｓｅａｒｃｈ ｓｐａｃｅ)ソフトビットを生成する。ＭＴＣ−ＰＤＣＩＣＨ処理モジュール１６０は、復調モジュール１６２と、デインタリービング＆循環シフトモジュール１６４と、デスクランブリングモジュール１６５と、ＵＳＳ／ＣＳＳ抽出モジュール１６７と、ＵＳＳ／ＣＳＳアキュムレーションモジュール１６８と、を備える。
【００７３】
図１のＭＴＣデバイス１００等のＭＴＣデバイスにおいては、受信した時間領域ＯＦＤＭシンボルがＦＦＴによって周波数領域へ変換され、そして、ＰＤＣＣＨ／ＭＴＣ−ＰＤＣＩＣＨシンボル１６１が、３ＧＰＰ ＴＳ ３６．２１１ ｖ１１．３．０の章６．８．５に規定されるＰＤＣＣＨ用のＲＥマッピングに従って、制御領域から抽出される。
【００７４】
復調モジュール１６２は、ＰＤＣＣＨ／ＭＴＣ−ＰＤＣＩＣＨシンボル１６１を等価且つ復調して、ＰＤＣＣＨ／ＭＴＣ−ＰＤＣＩＣＨソフトビット１６３を生成する。そして、ＰＤＣＣＨ／ＭＴＣ−ＰＤＣＩＣＨソフトビット１６３は、デインタリービング＆循環シフトモジュール１６４によって処理される。デインタリービング＆循環シフトモジュール１６４は、上述した通りに基地局側で成されたＲＥＧレベルインタリービング３７６及びＲＥＧレベルセル固有循環シフトとは逆の処理である、デインタリービング及び循環シフトを実行する。
【００７５】
そして、デスクランブリングモジュール１６５は、デインタリービング及び循環シフトの後に、ＰＤＣＣＨ／ＭＴＣ−ＰＤＣＩＣＨソフトビット１６３に関するデスクランブリングを実行して、デスクランブルド(ｄｅｓｃｒａｍｂｌｅｄ)ＰＤＣＣＨ／ＭＴＣ−ＰＤＣＩＣＨソフトビット１６６を生成する。
【００７６】
2017503362.tif 000008
【００７７】
2017503362.tif 000009
【００７８】
ＵＳＳ／ＣＳＳアキュムレーションモジュール１６８は、デスクランブルドＵＳＳ／ＣＳＳソフトビットを、ＭＴＣ−ＰＤＣＩＣＨ送信の反復期間に亘って記憶且つアキュムレートして、アキュムレーテットＵＳＳ／ＣＳＳソフトビット１６８を出力する。
【００７９】
図９は、本発明の実施形態に係る、例えばＵＳＳ／ＣＳＳアキュムレーションモジュール１６８によって実施される、アキュムレーション方法９００を示している。
【００８０】
９０５にて、受信した送信が最初の送信であるか否かが判定される。最初の送信であるかである場合、９１０においてバッファがクリアされ、９１５において送信カウンタ(Ｔｒａｎｓ＿ｃｎｔ)が１に設定され、９２０において送信のソフトビットがバッファへ記憶され、この際、９０５において更なるデータが処理される。受信した送信が最初の送信でない場合、９２５において送信カウンタがインクリメントされ、９３０において新たなデータが記憶した既存データを用いてアキュムレートされる。
【００８１】
９３５にて、送信カウンタが送信反復回数(ＮｕｍＯｆＲｅｐｉｔｉｏｎｓ)に達したか否かが判定される。送信反復回数に達した場合、９４０においてバッファのアキュムレート結果が出力として設定され、方法が終了する。送信反復回数に達していない場合、９０５において更なるデータが処理される。
【００８２】
図１０は、本発明の実施形態に係る、ＭＴＣ−ＣＣＩ検出モジュール１７０を示している。ＭＴＣ−ＣＣＩ検出モジュール１７０は、例えば、図１のＭＴＣデバイス１００等のＭＴＣデバイスの一部を構成可能である。
【００８３】
ＭＴＣ−ＣＣＩ検出モジュール１７０は、ＭＴＣ−ＰＤＣＩＣＨ送信の反復期間の終端でのアキュムレーテットＵＳＳ／ＣＳＳソフトビット１６９と、ネットワークが割り当てたＲＮＴＩとをインプットとして、ＭＴＣデバイス向けのＭＴＣ−ＣＣＩ又はＭＴＣ−ＣＣＩ群を検出する。前述した通り、デバイスのステータス及びモードに応じて、ＳＩ−ＲＮＴＩ、Ｐ−ＲＮＴＩ、ＲＡ−ＲＮＴＩ、テンポラリＣ−ＲＮＴＩ又はＣ−ＲＮＴＩを用いることが可能である。
【００８４】
ＭＴＣ−ＣＣＩ検出モジュール１７０は、ＭＴＣ−ＰＤＣＩＣＨ抽出モジュール１７１と、デ・レートマッチングモジュール１７３と、正規化モジュール１７４と、デバイス固有マスク生成モジュール１７５と、デバイス固有アンマスキングモジュール１７６と、複数の相関モジュール１７７と、最大相関モジュール１７８と、検出モジュール１７９と、を備える。
【００８５】
2017503362.tif 000010
【００８６】
2017503362.tif 000011
【００８７】
そして、５７６の抽出したＭＴＣ−ＰＤＣＩＣＨソフトビット１７２は、他のモジュールにより処理されて、ＭＴＣ−ＵＥ向けのＭＴＣ−ＣＣＩを検出する。
【００８８】
デ・レートマッチングモジュール１７３は、５７６の抽出したＭＴＣ−ＰＤＣＩＣＨソフトビット１７２に関するデ・レートマッチングを実行して、７２のＭＴＣ−ＰＤＣＩＣＨソフトビットを出力する。
【００８９】
正規化ユニットモジュール１７４は、下記の正規化方法を適用して、７２のＭＴＣ−ＰＤＣＩＣＨソフトビットのシーケンスを正規化する。
【００９０】
2017503362.tif 000012
【００９１】
デバイス固有マスク生成モジュール１７５は、ネットワークが割り当てたＲＮＴＩ入力から、７２ビットのデバイス固有マスクを生成する。この処理は、上述した対応するデバイス固有マスク生成機能モジュール１７５と同様である。
【００９２】
デバイス固有アンマスキング機能モジュール１７６は、下記の方法を適用してアンマスキングを実行し、アンマスクド(ｕｎｍａｓｋｅｄ)ＭＴＣ−ＰＤＣＩＣＨソフトビットを生成する。
【００９３】
2017503362.tif 000013
【００９４】
2017503362.tif 000014
【００９５】
2017503362.tif 000015
【００９６】
2017503362.tif 000016
【００９７】
2017503362.tif 000017
【００９８】
2017503362.tif 000018
【００９９】
図１１は、本発明の実施形態に係る、制御メッセージ反復の４つのレベルを示している。
【０１００】
制御メッセージ反復の１番目のレベル３５は、最大限のカバレッジ改善を示しており、制御メッセージは、ＰＤＣＣＨ上で第２の制御メッセージとしてＮ回(例えば、Ｎ＝７５)反復される。制御メッセージ反復の２番目のレベル３６は、カバレッジ改善を示しており、制御メッセージは、ＰＤＣＣＨ上で第２の制御メッセージとしてＭ回(Ｍ＜Ｎ)反復される。制御メッセージ反復の３番目のレベル３７は、カバレッジ改善を示しており、制御メッセージは、ＰＤＣＣＨ上で第２の制御メッセージとしてＬ回(Ｌ＜Ｍ)反復される。制御メッセージ反復の４番目のレベル３８は、カバレッジ改善を示しており、制御メッセージは、ＰＤＣＣＨ上で第２の制御メッセージとしてＫ回(Ｋ＜Ｌ)反復される。
＜性能評価＞
【０１０１】
ＭＴＣ−ＣＣＩ検出のシミュレーションを、本発明の実施形態の性能を評価すべく、表２に示すセットアップで実行した。
【０１０２】
表２：シミュレーションセットアップ
【表２】
2017503362.tif 000019
【０１０３】
図１２は、上記のシミュレーションセットアップに応じたシミュレーション結果を示している。
【０１０４】
Ｐｍｉｓｓは、ＭＴＣ−ＣＣＩが送信され且つＭＴＣデバイスがその検出に失敗するケースとして定義される、誤検出の可能性を示している。このことは、基地局が次のＭＴＣ ＰＤＣＣＨ反復インターバルにおいてＭＴＣ−ＣＣＩ、ＭＴＣ ＰＤＣＣＨ及びＭＴＣ ＰＤＳＣＨを再送する結果となるであろう。このことは、ＭＴＣ−ＵＥへは何ら影響を及ぼさない。これは、ＭＴＣデバイスが自デバイス向けのＭＴＣ−ＣＣＩの検出に失敗して、関連ＭＴＣ−ＰＤＣＣＨ及びＭＴＣ−ＰＤＳＣＨのデコードに失敗するという条件下における電力節約の観点から、ＭＴＣデバイス性能を改善し得るからである。関連ＭＴＣ−ＰＤＣＣＨ及びＭＴＣ−ＰＤＳＣＨの処理を停止することは、必ずやＭＴＣ−ＵＥが電力を節約する手助けとなるであろう。シミュレーションに用いたＲＮＴＩは、０ｘＡＡＡＡであった。
【０１０５】
Ｐｆａｌｓｅ１は、ＭＴＣ−ＣＣＩが他のＭＴＣデバイスのために送信されるがＭＴＣデバイスがこれを誤検出するケースとして定義される、失敗検出タイム１の可能性を示している。このことは、ＭＴＣデバイスが関連ＭＴＣ−ＰＤＣＣＨの処理を試み、その結果を廃棄する結果となるであろう。これを可能な限り低く留めることを狙う。シミュレーションにおいて、ｅＮｏｄｅＢでのＲＮＴＩは０ｘＡＡＡＡに設定され、ＭＴＣデバイスに用いたＲＮＴＩは０ｘ１２ＡＡに設定されていた。
【０１０６】
Ｐｆａｌｓｅ２は、ＭＴＣ−ＣＣＩが送信されないがＭＴＣデバイスがＭＴＣ−ＣＣＩを誤検出するケースとして定義される、失敗検出タイプ２の可能性を示している。このことは、ＭＴＣデバイスが関連ＭＴＣ−ＰＤＣＣＨの処理を試み、その結果を廃棄する結果となるであろう。これを可能な限り低く留めることを狙う。
【０１０７】
シミュレーション結果は、発明が、制御情報を低コスト且つ改善されたカバレッジのＭＴＣデバイスへ送信し、ＭＴＣ−ＣＣＩを検出するための信頼性のある方法を提供することを立証している。検出成功のレートは非常に高く(−１４ｄＢのＳＮＲで９９％)、検出失敗のレートは非常に低い(０．０７５％未満)。
【０１０８】
本明細書及び特許請求の範囲において、“ｃｏｍｐｒｉｓｉｎｇ(備えた)”との文言、並びに“ｃｏｍｐｒｉｓｅｓ(備える)”及び“ｃｏｍｐｒｉｓｅ”を含むその派生文言は、記述した各数値を含むものであるが、１以上の更なる数値の包含を排除するものでは無い。
【０１０９】
本明細書に亘る“ｏｎｅ ｅｍｂｏｄｉｍｅｎｔ(一の実施形態)”又は“ａｎ ｅｍｂｏｄｉｍｅｎｔ(実施形態)”への参照は、実施形態に関連した特定の特徴、構造又は特性が、本発明の少なくとも一つの実施形態に含まれることを意味する。よって、本明細書に亘る各種箇所における“ｉｎ ｏｎｅ ｅｍｂｏｄｉｍｅｎｔ(一の実施形態において)”又は“ｉｎ ａｎ ｅｍｂｏｄｉｍｅｎｔ(実施形態において”との表現の出現は、必ずしも同一の実施形態を参照するものでは無い。さらに、特定の特徴、構造又は特性は、１以上の組合せにおいて適切な方法で組み合わせても良い。
【０１１０】
法律に従って、発明を、多かれ少なかれ構造的又は方法的な特徴に特有の言語で説明した。当然のことながら、本明細書で説明した手段は発明を実施する好ましい態様であるため、発明は、示し又は説明した特定の特徴へは限定されない。このため、発明は、添付の特許請求の範囲の適切なスコープ内で(もしあれば)当業者により明らかに解釈される態様又は改良のいずれかにおいて請求される。
【０１１１】
上記の実施形態の一部又は全部は、以下の付記のようにも記載され得るが、以下には限られない。
【０１１２】
(付記１)
アドバンスト無線通信ネットワークに用いる方法であって、
第１の制御メッセージを、無線デバイスへ第１のチャネル上で提供し、
カバレッジ改善設定に応じて、第２の制御メッセージを、前記無線デバイスへ第２のチャネル上で提供する、ことを含み、
前記第１の制御メッセージは、
前記第２のチャネル上での前記第２の制御メッセージの有無と、
前記第２の制御メッセージの前記カバレッジ改善設定と、を示す、
方法。
【０１１３】
(付記２)
前記第２のチャネル上のメッセージを選択的に処理可能とするために、前記第１の制御メッセージは、前記無線デバイスが第２の制御メッセージの有無を判定できるようにする、
ことを特徴とした付記１に記載の方法。
【０１１４】
(付記３)
前記カバレッジ改善設定は、反復領域における前記第２の制御メッセージの反復回数を定義する、
ことを特徴とした付記１に記載の方法。
【０１１５】
(付記４)
前記第１のメッセージは、ＰＤＣＩＣＨ（ｐｈｙｓｉｃａｌ ｄｏｗｎｌｉｎｋ ｃｏｎｔｒｏｌ ｉｎｄｉｃａｔｏｒ ｃｈａｎｎｅｌ）上で提供される、
ことを特徴とした付記１に記載の方法。
【０１１６】
(付記５)
前記第２のメッセージは、ＰＤＣＣＨ（ｐｈｙｓｉｃａｌ ｄｏｗｎｌｉｎｋ ｃｏｎｔｒｏｌ ｃｈａｎｎｅｌ）上で提供される、
ことを特徴とした付記１に記載の方法。
【０１１７】
(付記６)
前記無線デバイスは、ＭＴＣ（Ｍａｃｈｉｎｅ−Ｔｙｐｅ Ｃｏｍｍｕｎｉｃａｔｉｏｎ）デバイスである、
ことを特徴とした付記１に記載の方法。
【０１１８】
(付記７)
前記第１のメッセージは、前記無線デバイスによるブラインド検出のために、制御領域において他の制御メッセージと多重化されて提供される、
ことを特徴とした付記１に記載の方法。
【０１１９】
(付記８)
前記第１のチャネルは、８ＣＣＥ（ｃｏｎｔｒｏｌ ｃｈａｎｎｅｌ ｅｌｅｍｅｎｔｓ）のアグリゲーションレベルで処理され、他の無線デバイスに対する他のＰＤＣＣＨ（ｐｈｙｓｉｃａｌ ｄｏｗｎｌｉｎｋ ｃｏｎｔｒｏｌ ｃｈａｎｎｅｌｓ）と多重化され、前記無線デバイスのブラインド検出のために制御領域内にマッピングされる、
ことを特徴とした付記７に記載の方法。
【０１２０】
(付記９)
前記第１の制御メッセージは、前記関連した第２の制御メッセージの２、３又は４の反復レベルを示す２ビットのＣＣＩ（ｃｏｎｔｒｏｌ ｃｈａｎｎｅｌ ｉｎｄｉｃａｔｏｒ）、を含む、
ことを特徴とした付記１に記載の方法。
【０１２１】
(付記１０)
前記反復レベルは、前記無線デバイスでの異なるレベルのカバレッジ改善に対応する、
ことを特徴とした付記９に記載の方法。
【０１２２】
(付記１１)
前記２ビットのＣＣＩをエンコードして、７２ビットのコードワード（ｃｏｄｅｗｏｒｄ）を生成する、
ことをさらに含む付記９に記載の方法。
【０１２３】
(付記１２)
前記７２ビットのコードワードを、７２ビットのデバイス固有マスク（ｄｅｖｉｃｅ ｓｐｅｃｉｆｉｃ ｍａｓｋ）でマスキングし、
前記マスキングした７２ビットのコードワードをレートマッチングして、５７６のＰＤＣＩＣＨビットを生成する、
ことをさらに含む付記１１に記載の方法。
【０１２４】
(付記１３)
前記７２ビットのデバイス固有マスクは、１６ビットのＲＮＴＩを１／３コンボリュージョナルコーディング（ｃｏｎｖｏｌｕｔｉｏｎａｌ ｃｏｄｉｎｇ）でエンコードすることにより生成する、
ことを特徴とした付記１２に記載の方法。
【０１２５】
(付記１４)
前記１６ビットのＲＮＴＩは、ＳＩ−ＲＮＴＩ、Ｐ−ＲＮＴＩ、ＲＡ−ＲＮＴＩ、テンポラリＣ−ＲＮＴＩ、Ｃ−ＲＮＴＩ又はＭＴＣ−ＲＮＴＩの一つである、
ことを特徴とした付記１３に記載の方法。
【０１２６】
(付記１５)
前記２ビットのＣＣＩは、下記のコーディングテーブルを用いてエンコードされる、
2017503362.tif 000020
ことを特徴とした付記９に記載の方法。
【０１２７】
(付記１６)
前記第１のメッセージを、複数の区別可能な制御領域において前記無線デバイスへ反復して提供する、
ことをさらに含む付記１に記載の方法。
【０１２８】
(付記１７)
前記第１のメッセージの反復回数は、少なくとも部分的に予め定義される、
ことを特徴とした付記１６に記載の方法。
【０１２９】
(付記１８)
複数の区別可能な制御領域は、前記第２の制御メッセージを有する無線フレームに直接先行するサブフレーム内での、連続的なサブフレームの制御領域である、
ことを特徴とした付記１６に記載の方法。
【０１３０】
(付記１９)
前記第１のメッセージの反復回数は、制御サーチ空間（ｃｏｎｔｒｏｌ ｓｅａｒｃｈ ｓｐａｃｅ）に応じて定義される、
ことを特徴とした付記１６に記載の方法。
【０１３１】
(付記２０)
前記第１のメッセージの反復回数は、ＣＳＳ（ｃｏｍｍｏｎ ｓｅａｒｃｈ ｓｐａｃｅ）におけるＭＴＣ−ＰＤＣＩＣＨに対して５回である、
ことを特徴とした付記１９に記載の方法。
【０１３２】
(付記２１)
アドバンスト無線通信用の基地局であって、
送信機と、
前記送信機にカップリングされるプロセッサと、
前記プロセッサにカップリングされるメモリと、を備え、
前記メモリは、
前記プロセッサにより実行可能な指示コードであって、
前記送信機により無線デバイスへ、第１の制御メッセージを第１のチャネル上で送信し、前記第１の制御メッセージが、第２のチャネル上での第２の制御メッセージの有無と、前記第２の制御メッセージのカバレッジ改善設定とを示し、
前記送信機により前記無線デバイスへ、前記カバレッジ改善設定に応じて、前記第２の制御メッセージを前記第２のチャネル上で送信する、ための指示コードを含む、
基地局。
【０１３３】
(付記２２)
アドバンスト無線通信用のシステムであって、
無線デバイスと、
基地局と、を備え、
前記基地局は、
送信機と、
前記送信機にカップリングされるプロセッサと、
前記プロセッサにカップリングされるメモリと、を含み、
前記メモリは、
前記プロセッサにより実行可能な指示コードであって、
前記送信機により無線デバイスへ、第１の制御メッセージを第１のチャネル上で送信し、前記第１の制御メッセージが、第２のチャネル上での第２の制御メッセージの有無と、前記第２の制御メッセージのカバレッジ改善設定とを示し、
前記送信機により前記無線デバイスへ、前記カバレッジ改善設定に応じて、前記第２の制御メッセージを前記第２のチャネル上で送信する、ための指示コードを含み、
記第２のチャネル上のメッセージを選択的に処理可能とするために、前記第１の制御メッセージは、前記無線デバイスが第２の制御メッセージの有無を判定できるようにする、
システム。
【０１３４】
この出願は、２０１４年１月１７日に出願されたオーストラリア国仮特許出願２０１４９００１４１号を基礎とする優先権を主張し、その開示の全てをここに取り込む。
【符号の説明】
【０１３５】
１０  通信ネットワーク
２０  通信システム
４１  ＭＴＣ−ＰＤＣＩＣＨ
４２  関連ＭＴＣ−ＰＤＣＣＨ
４３  第１のサブフレーム
１００  ＭＴＣデバイス
１０５, ３０５  アンテナ
１１０, ３１０  ＲＦ部
１２０, ３２０  デジタル／アナログ変換器
１３０  ベースバンドプロセッサ
１５０  アプリケーションプロセッサ
１５２, ３５２  ＭＴＣ−ＰＤＣＣＨ処理部
１７０, ３６０  ＭＴＣ−ＣＣＩ処理部(モジュール)
１６０, ３７０  ＭＴＣ−ＰＤＣＩＣＨ処理部(モジュール)
１６１  ＰＤＣＣＨ／ＭＴＣ−ＰＤＣＩＣＨシンボル
１６２  復調モジュール
１６３  ＰＤＣＣＨ／ＭＴＣ−ＰＤＣＩＣＨソフトビット
１６４  デインタリービング及び循環シフトモジュール
１６５  デスクランブリングモジュール
１６６  デスクランブルドＰＤＣＣＨ／ＭＴＣ−ＰＤＣＩＣＨソフトビット
１６７  ＵＳＳ／ＣＳＳ抽出モジュール
１６８  ＵＳＳ／ＣＳＳアキュムレーションモジュール
１６９  ＵＳＳ／ＣＳＳアキュムレーテットソフトビット
１７１  ＭＴＣ−ＰＤＣＩＣＨ抽出モジュール
１７２  抽出ＭＴＣ−ＰＤＣＩＣＨソフトビット
１７３  デ・レートマッチングモジュール
１７４  正規化モジュール
１７６  ＵＥ固有マスク生成モジュール
１７７  相関モジュール
１７８  最大相関モジュール
１７９  検出モジュール
２００  ＬＴＥ ＵＥ(デバイス)
３００  ｅＮＢ(ＬＴＥ基地局)
３５０  ベースバンド処理部
３６１  ＭＴＣ−ＣＣＩエンコードモジュール
３６２  ＭＴＣ−ＣＣＩコードワード
３６３  ＵＥ固有マスク生成モジュール
３６４  ＵＥ固有マスク
３６５  ＵＥ固有マスキングモジュール
３６６  マスクドＭＴＣ−ＣＣＩコードワード
３６７  レートマッチングモジュール
３６８  ＭＴＣ−ＰＤＣＩＣＨ
３７０  ＭＴＣ−ＰＤＣＩＣＨ処理モジュール
３７１  ＰＤＣＣＨ
３７２  ＣＣＥアグリゲーション＆ＭＴＣ−ＰＤＣＩＣＨ／ＰＤＣＣＨ多重化モジュール
３７３  スクランブリングモジュール
３７４  ＱＰＳＫ変調モジュール
３７５  レイヤマッピング＆プリコーディングモジュール
３７６  ＲＥＧレベルインタリービングモジュール
３７７  ＲＥＧレベルセル固有循環シフトモジュール
３７８  ＲＥマッピングモジュール
４００  エアインタフェース
５００  ＬＴＥコアネットワーク
５５０  内部ＭＴＣサーバ
６００  外部ＭＴＣサーバ
７００  ＭＴＣアプリケーションサーバ
８００  外部ＩＰネットワーク
【図１】
2017503362.tif 000022
【図２】
2017503362.tif 000023
【図３】
2017503362.tif 000024
【図４】
2017503362.tif 000025
【図５】
2017503362.tif 000026
【図６】
2017503362.tif 000027
【図７】
2017503362.tif 000028
【図８】
2017503362.tif 000029
【図９】
2017503362.tif 000030
【図１０】
2017503362.tif 000031
【図１１】
2017503362.tif 000032
【図１２】
2017503362.tif 000033
【国際調査報告】
2017503362.tif 000034
2017503362.tif 000035
2017503362.tif 000036
2017503362.tif 000037